(57)【要約】      （修正有）【課題】広告の内容を高精度な印刷物で表現するとともに、その広告の内容を、他の内容に変更する場合に比較的低コストで交換することができるタイルカーペット用のカバーを提供する。【解決手段】タイルカーペット上に配置された広告宣伝するための印刷物を視認することができる透明な天板部２０と、天板部から垂下する側壁部３０と、を有し、天板部と側壁部は接続されるとともに、タイルカーペット上に配置された広告宣伝するための印刷物を所定の空間４０に収納可能とする。【選択図】図１
0003221075.tif 000002
【実用新案登録請求の範囲】
【請求項１】
タイルカーペット上に配置された広告宣伝するための印刷物を視認することができる透明な天板部と、
前記天板部から垂下する側壁部と、を有し、
前記天板部と、前記側壁部と、は、接続されるとともに前記タイルカーペット上に配置された広告宣伝するための印刷物を収納可能なタイルカーペット用カバー。
【請求項２】
前記天板部は、平面視四角形を呈し、かつ前記側壁部は、４個有する請求項１記載のタイルカーペット用カバー。
【請求項３】
前記天板部は、平面視四角形を呈し、かつ前記側壁部は、３個有する請求項１記載のタイルカーペット用カバー。
【請求項４】
前記天板部は合成樹脂で構成された請求項１から３のいずれか１記載のタイルカーペット用カバー。
【請求項５】
前記天板部はガラスで構成された請求項１から３のいずれか１記載のタイルカーペット用カバー。
【考案の詳細な説明】
【技術分野】
【０００１】
本考案は、タイルカーペット用のカバーに関するものである。
【背景技術】
【０００２】
広告宣伝するために、数々の情報を伝達するための方法が考えられている。例えば、看板に広告対象物を表示して掲示する方法が採用されている。また、看板に変わる広告方法としてデジタルサイネージが採用されている。このように広告宣伝方法は多岐にわたるものであり、壁などに配置することができる。
【０００３】
一方で、広告宣伝効果を奏するように床面に広告内容を表示する場合がある。この場合、床面の全面に敷き詰められたカーペットに直接印刷することが考えられるものの、広告の対象が変更される場合に、カーペット全体を変更することになるため現実的ではない。そこで、所定の大きさに分割された複数のタイルカーペットを敷きつめ、そのうちの１のタイルカーペットに広告の対象を印刷する場合がある。
【０００４】
このタイルカーペットに広告を表示するために適用するものとして、例えば、特開２００５−１６８６３７号公報に記載されているように、密度が０．０１〜０．５０ｇ／ｃｍ3の不織布よりなるクッションベース層の上面に、絵や文字等の図柄や地色の印刷インキよりなる印刷層と、この印刷層の上面に透光性を有するニスよりなるカバーコート層を備える構成のフロアマットが開示されている。
【０００５】
しかしながら、タイルカーペットに印刷する場合はそのカーペットの表面が平坦ではないためにその印刷面の精度が粗く、高精度の印刷をすることができない。また、上記ニスよりなるカバーコート層についてはその上を歩く歩行者によってそのカバーコート層が剥がれることにより印刷層が消えてしまう恐れがある。また、宣伝対象が変更されるたびに印刷されたタイルカーペットを取り替えなくてはならず、交換するためのコストがかかりすぎる。
【先行技術文献】
【特許文献】
【０００６】
【特許文献１】特開２００５-１６８６３７号公報
【考案の開示】
【考案が解決しようとする課題】
【０００７】
本考案は前記の点に着目してなされたもので、その課題は、広告の内容を高精度な印刷物で表現するとともに、その広告の内容を、他の内容に変更する場合に比較的低コストで交換することができるタイルカーペット用のカバーを提供することである。
【課題を解決するための手段】
【０００８】
前記の課題を解決する第１観点のタイルカーペット用のカバーは、タイルカーペット上に配置された広告宣伝するための印刷物を視認することができる透明な天板部と、天板部から垂下する側壁部と、を有し、天板部と、側壁部と、は、接続されるとともにタイルカーペット上に配置された広告宣伝するための印刷物を収納可能であるというものである。
【０００９】
前記の課題を解決する第２観点のタイルカーペット用のカバーは、第１観点において、天板部は、平面視四角形を呈し、かつ側壁部は、４個有するというものである。
【００１０】
前記の課題を解決する第３観点のタイルカーペット用のカバーは、第１観点において、天板部は、平面視四角形を呈し、かつ側壁部は、３個有する請求項１記載のタイルカーペット用カバー。
【００１１】
前記の課題を解決する第４観点のタイルカーペット用のカバーは、第１観点から第３観点において、天板部は合成樹脂で構成されたというものである。
【００１２】
前記の課題を解決する第３観点のタイルカーペット用のカバーは、第１観点から第３観点において、天板部はガラスで構成されたというものである。
【考案の効果】
【００１３】
本考案は以上のように構成され、かつ、作用するものであるから、広告の内容を高精度な印刷物で表現するとともに、その広告の内容を、他の内容に変更する場合に比較的低コストで交換することができるタイルカーペット用のカバーを提供することができる。
【図面の簡単な説明】
【００１４】
【図１】Ａは、タイルカーペット用カバーの斜視図である。Ｂは、ＡのＩＢ−ＩＢ線断面図である。
【図２】タイルカーペット用カバーと印刷物とタイルカーペットの分解斜視図である。
【図３】タイルカーペットの上に印刷物を配置し、それらを収納した状態のタイルカーペット用カバーの斜視図である。Ｂは、ＡのＩＩＩＢ−ＩＩＩＢ線断面図である。
【図４】通常のタイルカーペットを多数配置するとともに、タイルカーペット用カバーを配置した状態の概念斜視図である。
【図５】図４のＶ−Ｖ線拡大断面図である。
【図６】第２実施例のタイルカーペット用カバーの斜視図である。
【図７】第３実施例のタイルカーペット用カバーの斜視図である。
【考案を実施するための最良の形態】
【００１５】
以下、図示の実施形態を参照して説明する。タイルカーペット用カバー１０は、文字通り後述するタイルカーペット１００を覆うことができるものである。ここで、タイルカーペット１００とは通常のタイルカーペット１５０と比して一回り小さいものであり、通常のタイルカーペット１５０は、例えば、所定の面積を有する図示しないカーペット１の一部のみを取替え可能なように、例えば５０センチメートル四方のカーペットに分割したものであり、これを複数使用することにより、たとえば、２０畳用などの一定の大きさのカーペットを構成するというものである。
【００１６】
また、２０畳用などの一定の大きさのカーペットを構成する複数の通常のタイルカーペット１５０のうちの一部の部タイルカーペット１５０のみを交換することができるために、カーペット全体を交換することがなくコストを大幅に削減することができるというものである。なお、タイルカーペット１５０を多数敷き詰めることにより、それ以上の広さにできことは言うまでもない。
【００１７】
本実施例のタイルカーペット用カバー１０は、上述の通常のタイルカーペット１５０に替えて配置した後述するタイルカーペット１００に被せるものであり、広告宣伝するための印刷物２００をそのタイルカーペット１００上に載置した上に被せることができるとともにその印刷物２００を収納することができるというものである。
【００１８】
本実施例のタイルカーペット用カバー１０は、タイルカーペット１００上に配置された広告宣伝するための印刷物２００を視認することができる透明な天板部２０と、側壁部３０と、を有するものである。天板部２０は、板状を呈し、印刷物２００を視認することができるように透明な部材で構成されている。たとえば、透明な合成樹脂、または透明なガラスが好ましい。また、天板部２０と、側壁部３０と、は、一体に形成することで接続することができ、その中に収納した印刷物２００を収納することができる。また、側壁部３０も、透明な合成樹脂、または透明なガラスが好ましい。このように、印刷物２００を視認することができるので、印刷物２００に印刷された広告内容２５０をも視認することができる。なお、天板部２０と、側壁部３０と、は、接着することにより、それらを接続して形成することもできる。
【００１９】
また、天板部２０の外形は、通常のタイルカーペット１５０と同様のサイズが好ましい。複数の通常のタイルカーペット１５０を敷き詰め、その一部のタイルカーペット１５０に替えてタイルカーペット用カバー１０を配置することにより複数の通常のタイルカーペット１５０と、そのタイルカーペット用カバー１０を隙間なく配置することができる。これにより、タイルカーペット用カバー１０を被せるタイルカーペット１００は、他の通常の複数のタイルカーペット１５０よりも若干小さく構成することが好ましい。これについてはさらに後述する。
【００２０】
側壁部３０は、平面視四角形を呈する天板部２０の天板部辺２１、２１、２１、２１から垂下するように一体に形成することができる。また、側壁部３０は、側壁面３１、３１、３１、３１を有し、各天板部辺２１と各側壁面３１はそれぞれほぼ垂直に接続され、それらは一体に形成することもできる。また、上記各天板部辺２１と各側壁面３１はそれぞれほぼ垂直に、かつ、それらを接着することにより、それらを接続して形成することもできる。
【００２１】
このようにタイルカーペット用カバー１０は、天板部２０と側壁部３０とで所定の空間４０が構成される。この空間４０内に、タイルカーペット１００上に配置した印刷物２００を収納するとともに、この印刷物２００の上から、タイルカーペット用カバー１０を被せる。これにより、一体に形成されている、又は、接着により互いに接続されている天板部２０と側壁部３０と、は、印刷物２００を収納可能である。
【００２２】
上記のとおりタイルカーペット１００は、他の複数の通常のタイルカーペット１５０よりもそのサイズを一回り小さく構成している。すなわち、例えば、建物のエントランスの床面Ｆに多数の通常のタイルカーペット１５０を敷き詰める。この際に、その多数の通常のタイルカーペット１５０の一部を一回り小さなタイルカーペット１００に替える。そのときのそのタイルカーペット１００上に広告宣伝のために印刷物２００を配置し、その上から、タイルカーペット用カバー１０を被せる（図４参照）。
【００２３】
このとき、側壁部３０における側壁面３１、３１、３１、３１の厚さのサイズだけ、通常のタイルカーペット１５０より小さいタイルカーペット１００を配置する。すなわち、複数の通常のタイルカーペット１５０を敷き詰めたうち、一つの通常のタイルカーペット１５０を取り外し、その取り外した場所に、上記のタイルカーペット１００を配置する。その上に印刷物２００を載置し、その上から、タイルカーペット用カバー１０を被せる。タイルカーペット１００は側壁部３０における側壁面３１、３１、３１、３１の厚さのサイズだけ、通常のタイルカーペット１５０より小さいので、他の複数の通常のタイルカーペット１５０と、タイルカーペット用カバー１０との間に隙間が生じることがなく、印刷物２００を配置した上からそのタイルカーペット用カバー１０を配置することができる（図５参照）。
【００２４】
尚、広告内容２５０は印刷物２００に表示されるが、紙あるいは合成紙などの紙類に印刷されるために、高品質な印刷物２００によって広告内容２５０が表現される。よって、タイルカーペット１００に直接印刷するよりも鮮明にその広告内容２５０を表現することができるために消費者への宣伝効果が大である。
【００２５】
また、紙あるいは合成紙などの紙類に印刷された印刷物２００は、タイルカーペット用カバー１０によって覆われているために、図示しない歩行者に踏まれたとしても印刷物２００が傷つくことなく、印刷の剥がれを生じさせることがないためにその印刷物２００は結果として耐久性を有するものである。また、タイルカーペット用カバー１０における天板部２０は透明な合成樹脂又は透明なガラスで構成されているためその中に収納された印刷物２００の広告内容２５０を視認することができるので、床面Ｆにおいても広告宣伝効果を発揮するものである（図４参照）。
【００２６】
また印刷物２００の交換が容易であるので、日によって他の内容の広告を印刷した印刷物２００を容易に交換することができる。すなわち、タイルカーペット用カバー１０を取り外しその中に配置した印刷物２００を取り替えるだけで、その広告内容２５０を変更することができるので、タイルカーペット１００に直接印刷するより低コストで変更することができる。なお、本実施例のタイルカーペット用カバー１０の高さは、７ミリメートルであり、天板部２０および側壁部３０の厚さは、３ミリメートル又は４ミリメートルであり天板部２０の外形は５００ミリメートル四方が好ましい。従って、タイルカーペット１００は、タイルカーペット用カバー１０に収納することができる大きさにするというものである。
【００２７】
次に第２実施例のタイルカーペット用カバー１２について説明する。タイルカーペット用カバー１０と同一の構成については、同一の符号を付し、その説明を省略する。第２実施例のタイルカーペット用カバー１２は、天板部２０と、第２側壁部１３０、１３０、１３０、１３０と、を有し、４個の第２側壁部１３０を有するものである。また、天板部２０と、各第２側壁部１３０と、は、一体に形成することで接続することができ、その中に収納した図示しない印刷物を収納することができる。なお、天板部２０と、第２側壁部１３０と、は、接着することにより、それらを接続して形成することもできる。
【００２８】
第２側壁部１３０は、平面視四角形を呈する天板部２０の天板部辺２１、２１、２１、２１から垂下するように一体に形成することができる。また、第２側壁部１３０は、側壁面１３１、１３１、１３１、１３１を有し、各天板部辺２１と各第２側壁面１３１はそれぞれほぼ垂直に接続され、それらは一体に形成することもできる。また、上記各天板部辺１１と各側壁面３１はそれぞれほぼ垂直に、かつ、それらを接着することにより、それらを接続して形成することもできる。
【００２９】
また、第２側壁部１３０における側壁面１３１、１３１、１３１、１３１は、天板部２０の天板部辺２１、２１、２１、２１の半分以下の幅を有しており、かつ、回転中心Ｒに対して回転対称になるように配置されている。従って、隣り合うようにタイルカーペット用カバー１２、１２を配置した場合に、側壁面１３１同士が互いに干渉しないように構成されている（図示しない）。
【００３０】
次に第３実施例のタイルカーペット用カバー１３について説明する。第３実施例のタイルカーペット用カバー１３と第２実施例のタイルカーペット用カバー１２との相違点は、第２実施例のタイルカーペット用カバー１２は、天板部２０と、各天板部辺２１、２１、２１、２１と接続されている第２側壁部１３０、１３０、１３０、１３０と、の４個の第２側壁部１３０、を有するものであるのに対し、第３実施例のタイルカーペット用カバー１３は、第２側壁部１３０、１３０、１３０と、の３個の第２側壁部１３０、を有する点で異なるものである。従って、第３実施例のタイルカーペット用カバー１３において、第２側壁部１３０を具備しない空所１４０から、カーペット上に配置するための印刷物を容易に交換することができるというものである。
【符号の説明】
【００３１】
１０  タイルカーペット用カバー
１２  第２実施例のタイルカーペット用カバー
１３  第３実施例のタイルカーペット用カバー
２０  天板部
２１  天板部辺
３０  側壁部
３１  側壁面
１００  タイルカーペット
１３１  第２側壁面
１４０  空所
１５０  通常のタイルカーペット
２００  印刷物
２５０  広告内容
Ｒ      回転中心
【図１】
0003221075.tif 000003
【図２】
0003221075.tif 000004
【図３】
0003221075.tif 000005
【図４】
0003221075.tif 000006
【図５】
0003221075.tif 000007
【図６】
0003221075.tif 000008
【図７】
0003221075.tif 000009